(57)【要約】      （修正有）【課題】不断水で上水道配水管内の流体を常時測定可能な挿入式測定器付補修弁を提供する。【解決手段】地下式消火栓２０が接続された挿入式流量計付補修弁１において、上水道配水管２に接続可能な下部フランジ１１と、挿入式流量計３０が接続可能な上部フランジ１２と、地下式消火栓２０又は空気弁が接続可能な側部フランジ１３とを設ける。地下式消火栓又は空気弁が側部フランジに接続されて挿入式流量計３０の流量測定部３３が上水道配水管に挿入された状態で、下部フランジで上水道配水管に接続し、不断水で測定できるように構成する。【選択図】図２
0003222026.tif 000002
【実用新案登録請求の範囲】
【請求項１】
地下式消火栓又は空気弁が接続された挿入式測定器付補修弁において、
上水道配水管に接続可能な下部フランジと、
挿入式測定器が接続可能な上部フランジと、
上記地下式消火栓又は上記空気弁が接続可能な側部フランジとを備え、
上記地下式消火栓又は上記空気弁が上記側部フランジに接続されて上記挿入式測定器の測定部が上記上水道配水管に挿入された状態で、上記下部フランジで上記上水道配水管に接続され、不断水で測定可能に構成されている
ことを特徴とする挿入式測定器付補修弁。
【請求項２】
請求項１に記載の挿入式測定器付補修弁において、
上記挿入式測定器には、測定結果を取り出し可能な出力ポートが設けられており、
該出力ポートに携帯型信号変換器を接続することで、測定結果を記録可能に構成されている
ことを特徴とする挿入式測定器付補修弁。
【考案の詳細な説明】
【技術分野】
【０００１】
本考案は、挿入式測定器付補修弁に関し、特に不断水で上水道配水管内の流体を常時測定可能に構成されたものである。
【背景技術】
【０００２】
従来、浄水池から流れてきた水は、配水池に貯えられ、さらに網の目のように張り巡らされた配水管網を通って各家庭等に配水されており、この配水管網は、仕切弁等によって各ブロックに仕切られている。配水管の管内調査をするためには、消火栓を外して挿入式測定器等を取り付けた上で調査を行うことが多かった。
【０００３】
そこで、例えば、特許文献１のように、断水せずに配水管の調査をできるようにする流量測定器が知られている。この流量測定器では、消火栓のバルブ操作部に着脱自在なアダプターを備え、このアダプターの先端に超音波発信受信器を備えた棒状体を保持することにより、埋設水道管であっても断水なしで、しかも土木工事なしに装着して水道管内の流体の測定を行えるようにしている。
【先行技術文献】
【特許文献】
【０００４】
【特許文献１】特開平６−８１３７８号公報
【考案の概要】
【考案が解決しようとする課題】
【０００５】
しかしながら、従来の流量測定器は、配水管の調査のたびに地下式消火栓又は空気弁を外してアダプターを繋がなければならず、測定後は再び流量測定器を外して地下式消火栓又は空気弁を付け直さなければならないという問題があった。
【０００６】
本考案は、かかる点に鑑みてなされたものであり、その目的とするところは、挿入式測定器を着脱することなく容易且つ確実に上水道配水管内の流体の測定を常時行えるようにすることにある。
【課題を解決するための手段】
【０００７】
上記の目的を達成するために、この考案では、補修弁を用いて地下式消火栓又は空気弁を取り付けたままの状態で流量、水質等をいつでも測定可能にした。
【０００８】
具体的には、第１の考案では、地下式消火栓又は空気弁が接続された挿入式測定器付補修弁を前提とし、
上記挿入式測定器付補修弁は、
上水道配水管に接続可能な下部フランジと、
挿入式測定器が接続可能な上部フランジと、
上記地下式消火栓又は上記空気弁が接続可能な側部フランジとを備え、
上記地下式消火栓又は上記空気弁が上記側部フランジに接続されて上記挿入式測定器の測定部が上記上水道配水管に挿入された状態で、上記下部フランジで上記上水道配水管に接続され、不断水で測定可能に構成されている。
【０００９】
上記の構成によると、側部フランジに地下式消火栓又は空気弁を接続したままの状態で、下部フランジを上水道配水管のフランジに接続することで挿入式測定器付補修弁を接続できる。さらに、その上部フランジに挿入式測定器を接続したままの状態で、その測定部を上水道配水管内に常時設置しておけば、必要なときに、容易且つ迅速に上水道配水管内の測定を行える。また、既存の地下式消火栓又は空気弁を外し、挿入式測定器付補修弁の下部フランジを接続すれば、既存の配水管網に挿入式測定器付補修弁を容易に設置できる。
【００１０】
第２の考案では、第１の考案において、
上記挿入式測定器には、測定結果を取り出し可能な出力ポートが設けられており、
該出力ポートに携帯型信号変換器を接続することで、測定結果を記録可能に構成されている。
【００１１】
上記の構成によると、携帯型信号変換器を携帯しておけば、挿入式測定器を脱着することなく出力ポートに接続するだけで、測定結果を記録できる。
【考案の効果】
【００１２】
以上説明したように、本考案によれば、挿入式測定器を着脱することなく容易且つ確実に上水道配水管内の流体の測定を常時行える。
【図面の簡単な説明】
【００１３】
【図１】本考案の実施形態に係る挿入式流量計付補修弁を示す正面図である。
【図２】挿入式流量計付補修弁を示す側面図である。
【図３】挿入式流量計付補修弁を示す平面図である。
【考案を実施するための形態】
【００１４】
以下、本考案の実施形態を図面に基づいて説明する。
【００１５】
図１〜図３は、本考案の実施形態の挿入式測定器付補修弁としての挿入式流量計付補修弁１を示し、この挿入式流量計付補修弁１には、地下式消火栓２０が接続され、地下に埋設された格納ピット４（図２にのみ二点鎖線で示す）内に設けられている。
【００１６】
具体的には、挿入式流量計付補修弁１は、地中に埋設された配水管網内に張り巡らされた上水道配水管２の上向きフランジ３に接続可能な下部フランジ１１と、挿入式測定器としての挿入式流量計３０が接続可能な上部フランジ１２と、地下式消火栓２０が接続可能な側部フランジ１３とを備えた補修弁本体１０を備えている。この補修弁本体１０の内部には、回動可能なボール弁体１４が内蔵され、このボール弁体１４には回動操作可能なハンドル１５が接続されている。ボール弁体１４の内部には、図示しない上下に延びる貫通孔が形成されている。
【００１７】
地下式消火栓２０は、例えば、下側結合用フランジ２１と、消火用ホースを接続するホース接続部２２と、操作ハンドルを接続する弁体操作部２３とを備えている。
【００１８】
挿入式流量計３０は、例えば、超音波流量計よりなり、上部フランジ１２に接続可能な結合フランジ３１と、ボール弁体１４の貫通孔を通り、上水道配水管２まで延びる棒状体３２と、この棒状体３２の下端に設けられた測定部としての流量測定部３３とを備えている。流量測定部３３は、例えば、矩形枠状を有し、この流量測定部３３内を移動する水の流れで枠内の超音波探触子間の伝搬時間に変化が生じ、ピーク点のずれ（変化量）を測定することで、流速（流量）と流れ方向がわかるようになっている。超音波測定であるので、誘導障害の影響がないため高感度性能を有し、微小流から大流量まで変化量の大きな配水本管にも適用できるようになっている。
【００１９】
挿入式流量計３０には、測定結果を取り出し可能な出力ポート３４が設けられており、この出力ポート３４から延びる出力ハーネス３５に携帯型信号変換器４０の入力ポート４１を接続することで、測定結果をＳＤカードなどに記録可能に構成されている。なお、ボール弁体１４の貫通孔に棒状体３２が挿通されているので、通常は、ハンドル１５は操作しない。また、携帯型信号変換器４０は、外部ポート４２から外部信号を出力可能であり、また、電源コード４３からＡＣ１００Ｖなどの電源を接続できるようになっている。
【００２０】
そして、挿入式流量計３０の流量測定部３３が上水道配水管２に挿入された状態で上水道配水管２に接続され、不断水で測定可能に構成されている。
【００２１】
このように本実施形態では、側部フランジ１３に地下式消火栓２０を接続したままの状態で、下部フランジ１１を上水道配水管２の上向きフランジ３に接続することで、挿入式流量計付補修弁１を地下式消火栓２０に接続できる。さらに、その上部フランジ１２に挿入式流量計３０を接続しておくことで、その流量測定部３３を上水道配水管２内に常時設置しておけば、必要なときに、容易且つ迅速に上水道配水管２内の流量を測定できる。
【００２２】
また、既存の地下式消火栓２０を外し、挿入式流量計付補修弁１の下部フランジ１１を上水道配水管２のフランジ３に接続すれば、既存の配水管網に容易に設置できる。
【００２３】
また、携帯型信号変換器４０を携帯しておけば、いつでも出力ポート３４に接続し、電源コード４３を電源に接続するだけで、流量の測定結果を適当なデータに変換してＳＤカードなどに記録でき、そのＳＤカードに記憶されたデータを利用して上水道配水管２の管理を容易且つ効果的に行える。
【００２４】
したがって、本実施形態に係る挿入式流量計付補修弁１によると、挿入式流量計３０を着脱することなく容易且つ確実に上水道配水管２の測定を必要なときに常時行える。
【００２５】
（その他の実施形態）
本考案は、上記実施形態について、以下のような構成としてもよい。
【００２６】
すなわち、上記実施形態では、挿入式流量計付補修弁１の側部フランジ１３に地下式消火栓２０を接続しているが、図示しない空気弁を接続してもよい。そうすれば、配水管網に設けられた地下式消火栓２０の位置だけでなく、空気弁の位置にも、本考案の挿入式流量計付補修弁１を設置できる。
【００２７】
また上記実施形態では、挿入式流量計３０として超音波式のものを用いたが、電磁式のものを用いてもよい。
【００２８】
さらに上記実施形態では、挿入式測定器として挿入式流量計３０を用いたが、水に含まれるｐＨや塩素、硬度、透視度などを測定する水質測定器を用いることもできる。その場合にも、その測定部を上水道配水管２内に常時設けておくとよい。
【００２９】
なお、以上の実施形態は、本質的に好ましい例示であって、本考案、その適用物や用途の範囲を制限することを意図するものではない。
【符号の説明】
【００３０】
１      挿入式流量計付補修弁（挿入式測定器付補修弁）
２      上水道配水管
３      上向きフランジ
４      格納ピット
１０      補修弁本体
１１      下部フランジ
１２      上部フランジ
１３      側部フランジ
１４      ボール弁体
１５      ハンドル
２０      地下式消火栓
２１      下側結合用フランジ
２２      ホース接続部
２３      弁体操作部
３０      挿入式流量計（挿入式測定器）
３１      結合フランジ
３２      棒状体
３３      流量測定部（測定部）
３４      出力ポート
３５      出力ハーネス
４０      携帯型信号変換器
４１      入力ポート
４２      外部ポート
４３      電源コード
【図１】
0003222026.tif 000003
【図２】
0003222026.tif 000004
【図３】
0003222026.tif 000005